(57)【要約】      （修正有）【課題】バックボードの繋ぎ目を目立たなくすることで複数のバックボードを綺麗に接続することができる展示用パネルボードを提供する。【解決手段】展示用パネルボード１は、第１印刷シート３が貼付される第１バックボード２と、第１印刷シートに接続される第２印刷シート５が貼付され第１バックボードに接続される第２バックボード４と、を有している。第１印刷シートは、第１バックボードに貼付されたとき、第１印刷シートに直交する方向から見て第１バックボードからはみ出た覆い部３４を有している。第１バックボードと第２バックボードとが接続されたとき、覆い部が手前側となるように第２印刷シートに重なる。【選択図】図１
0003221154.tif 000002
【実用新案登録請求の範囲】
【請求項１】
図柄が印刷された矩形の第１印刷シートと、
前記第１印刷シートが貼付される矩形の第１バックボードと、
図柄が印刷され前記第１印刷シートに接続される矩形の第２印刷シートと、
前記第２印刷シートが貼付され前記第１バックボードに接続される矩形の第２バックボードと、を有し、
前記第１印刷シートは、前記第１バックボードに貼付されたとき、前記第１印刷シートの対向する１組の辺の長さが前記第１バックボードの対応するそれぞれの辺の長さよりも長いことにより、前記第１印刷シートに直交する方向から見て前記第１バックボードからはみ出た覆い部を有し、
前記第１バックボードと前記第２バックボードとが接続されたとき、前記第１印刷シートに直交する方向から見て前記第１印刷シートの前記覆い部が手前側となるように前記第２印刷シートに重なることを特徴とする展示用パネルボード。
【請求項２】
前記第１印刷シートに印刷される図柄及び前記第２印刷シートに印刷される図柄は、市松模様であって、
前記第２印刷シートは、前記第１バックボードと前記第２バックボードとが接続されたとき、前記覆い部に重なる被重複部を有し、
前記被重複部における前記第２印刷シートに印刷される図柄は、市松模様の幅方向の長さが他の領域よりも長いことを特徴とする請求項１に記載の展示用パネルボード。
【請求項３】
前記第１印刷シートに印刷される図柄及び前記第２印刷シートに印刷される図柄は、市松模様であって、
前記覆い部の前記第２印刷シートに重なっている端部は、前記市松模様の境界であることを特徴とする請求項１に記載の展示用パネルボード。
【請求項４】
前記覆い部は矩形であって、前記第２印刷シートに対して長手方向の全長に亘って重なっていることを特徴とする請求項１から３のいずれか１項に記載の展示用パネルボード。
【考案の詳細な説明】
【技術分野】
【０００１】
本考案は、展示用パネルボードに関し、特に展示会や記者会見などで背景に使用される大型の展示用パネルボードに関する。
【背景技術】
【０００２】
新製品発表会や展示会では、発表者や商品の背景として特許文献１又は特許文献２に記載されているようなディスプレイ用パネルが使用される。ディスプレイ用パネルは、表面に広告が印刷されたシートを貼付し、背面は立設された木製ボードに固定されることにより、背景として使用される。
【０００３】
ディスプレイ用パネルは、印刷シートのサイズ等に応じて寸法が定められており、通常は複数枚のディスプレイ用パネルを繋ぎ合わせて木製ボードに固定している。
【先行技術文献】
【特許文献】
【０００４】
【特許文献１】実開平５−２９０８４号公報
【特許文献２】特開平２００３−５６５５号公報
【考案の概要】
【考案が解決しようとする課題】
【０００５】
複数のディスプレイ用パネルを用いて一体的な背景を作成するとき、外観上繋ぎ目が分からないように両者を接続することは難しかった。また、ディスプレイ用パネルは、所望の寸法に断裁する際、その特性上切断面が僅かに収縮してしまうため、一旦切断したパネル同士を接続しても、その間に隙間が発生してしまっていた。
【０００６】
図７（ａ）に示すように、展示用パネルボード１０１は、第１印刷シート１０３が貼付された第１バックボード１０２と、第２印刷シート１０５が貼付された第２バックボード１０４と、を有している。第１バックボード１０２には、切断時の収縮によって生まれた第１歪部１０２ａと、第２歪部１０２ｂと、が生じている。この状態で、第１バックボード１０２と第２バックボード１０４とを接続すると、図７（ｂ）に示すように、接続部分で第１歪部１０２ａ及び第２歪部１０２ｂが目立ってしまい、外観上好ましくない。特に、展示用パネルボード１０１を記者会見などで使用する場合は中央近辺が背景として映りこむため、第１バックボード１０２と第２バックボード１０４との接続部分を綺麗に仕上げる必要があった。
【０００７】
また、ディスプレイ用パネルの上に印刷シートを貼付する際も、繋ぎ目が同一の色同士だと境界部分が目立ってしまい、外観上好ましくなかった。
【０００８】
そこで、本考案では、バックボードの繋ぎ目を目立たなくすることで複数のバックボードを綺麗に接続することができる展示用パネルボードを提供することを目的とする。
【課題を解決するための手段】
【０００９】
上記課題を解決するために本考案は、図柄が印刷された矩形の第１印刷シートと、前記第１印刷シートが貼付される矩形の第１バックボードと、図柄が印刷され前記第１印刷シートに接続される矩形の第２印刷シートと、前記第２印刷シートが貼付され前記第１バックボードに接続される矩形の第２バックボードと、を有し、前記第１印刷シートは、前記第１バックボードに貼付されたとき、前記第１印刷シートの対向する１組の辺の長さが前記第１バックボードの対応するそれぞれの辺の長さよりも長いことにより、前記第１印刷シートに直交する方向から見て前記第１バックボードからはみ出た覆い部を有し、前記第１バックボードと前記第２バックボードとが接続されたとき、前記第１印刷シートに直交する方向から見て前記第１印刷シートの前記覆い部が手前側となるように前記第２印刷シートに重なることを特徴とする展示用パネルボードを提供している。
【００１０】
第２の考案では、第１の考案の展示用パネルボードであって、前記第１印刷シートに印刷される図柄及び前記第２印刷シートに印刷される図柄は、市松模様であって、前記第２印刷シートは、前記第１バックボードと前記第２バックボードとが接続されたとき、前記覆い部に重なる被重複部を有し、前記被重複部における前記第２印刷シートに印刷される図柄は、市松模様の幅方向の長さが他の領域よりも長いことを特徴としている。
【００１１】
第３の考案では、第１の考案に記載の展示用パネルボードであって、前記第１印刷シートに印刷される図柄及び前記第２印刷シートに印刷される図柄は、市松模様であって、前記覆い部の前記第２印刷シートに重なっている端部は、前記市松模様の境界であることを特徴としている。
【００１２】
第４の考案では、第１の考案から第３の考案のいずれかに記載の展示用パネルボードであって、前記覆い部は矩形であって、前記第２印刷シートに対して長手方向の全長に亘って重なっていることを特徴としている。
【考案の効果】
【００１３】
第１の考案によると、覆い部が第１バックボードと第２バックボードとを接続するときに第２印刷シートに重なるため、第１バックボードと第２バックボードの隙間を覆い部が埋めることができる。これにより、第１バックボードと第２バックボードの切断面が湾曲していたとしても、覆い部により当該湾曲を隠し外観上優れた展示用パネルボードを実現することができる。展示用パネルボードは展示会の会場に応じて大きなものが必要になるが、運搬上の問題から、複数のバックボードの上に印刷シートを貼付したものを接続することにより組み立てる作業が必要となる。従来ではバックボードの湾曲を目立たなくするために印刷シートを小さく切り取り、パッチワークのようにバックボードの隙間に貼り合わせていたが、光の反射などにより当該箇所が目立ってしまい外観上問題があった。本考案によると、覆い部がバックボード間の隙間を埋めるように隠すため、接続部分の目立たない綺麗な展示用パネルボードとなる。
【００１４】
第２の考案によると、被重複部の市松模様は他の領域よりも幅方向の長さが長いため、覆い部と第２印刷シートとの境界部分において異なる色を重ね合わせることができる。第１印刷シート及び第２印刷シートは、同一の色を重ね合わせると僅かに境界が目立ってしまうが異なる色を重ね合わせると当該境界が目立たなくなるという特性を有している。本考案では、覆い部と第２印刷シートとの境界が異なる色となるため、覆い部と第２印刷シートとの境界を目立たなくすることができる。これにより、外観上優れた展示用パネルボードを実現することができる。
【００１５】
第３の考案によると、覆い部の端部が市松模様の境界となっているため、覆い部と第２印刷シートとの境界部分において異なる色を重ね合わせることができる。これにより、覆い部と第２印刷シートとの境界を目立たなくすることができ、外観上優れた展示用パネルボードを実現することができる。
【００１６】
第４の考案によると、覆い部が矩形であって第２印刷シートに対して長手方向全長に亘って重なっているため、第１バックボード及び第２バックボードのどの箇所に隙間があったとしても覆い部で隠し外観上優れた展示用パネルボードを実現することができる。
【００１７】
本考案によると、バックボードの繋ぎ目を目立たなくすることで複数のバックボードを綺麗に接続することができる展示用パネルボードを提供することができる。
【図面の簡単な説明】
【００１８】
【図１】本考案の実施の形態の展示用パネルボードであって、図１（ａ）は第１バックボードと第２バックボードとを接続する前の図であって、図１(ｂ)は第１バックボード２と第２バックボード４とを接続した状態の図。
【図２】本考案の実施の形態の展示用パネルボードをベース部に固定したときの側面図。
【図３】本考案の実施の形態の展示用パネルボードの第２印刷シートの正面図。
【図４】本考案の実施の形態の展示用パネルボードの第１印刷シートを第１バックボードに貼付して覆い部を形成するときのフロー図。
【図５】本考案の実施の形態の展示用パネルボードの第１印刷シートを第１バックボードに貼付して覆い部を形成するときのフロー図。
【図６】本考案の変形例の展示用パネルボードであって、図６（ａ）は第１バックボードと第２バックボードとを接続する前の図であって、図６(ｂ)は第１バックボード２と第２バックボード４とを接続した状態の図。
【図７】従来の展示用パネルボードであって、図７（ａ）は第１バックボードと第２バックボードとを接続する前の図であって、図７(ｂ)は第１バックボード２と第２バックボード４とを接続した状態の図。
【考案を実施するための形態】
【００１９】
本考案の実施の形態による展示用パネルボード１を、図１から図６に基づいて説明する。図中に示すように、前後上下左右方向を定義する。
【００２０】
展示用パネルボード１は略矩形であって、第１バックボード２と、第１印刷シート３と、第２バックボード４と、第２印刷シート５と、から構成される。展示用パネルボード１は、図２に示すように、展示会などでグランド７から立設されたベース部６に両面テープ等で固定される。ベース部６は木材からなり、複数の脚部６１によってグランド７に固定され、グランド７から略９０°となるように設置される。本実施の形態における展示用パネルボード１のサイズは１８００ｍｍ×２４００ｍｍであるが、任意にサイズを設定することができる。
【００２１】
第１バックボード２は、発砲スチレン製のボードであって表面及び裏面に紙製のシート層が設けられている。第１バックボード２は、本実施の形態では１８００ｍｍ×１１９０ｍｍだが、展示用パネルボード１のサイズに応じて任意の大きさに設定することができる。
【００２２】
第１印刷シート３は略矩形で１８００ｍｍ×１２００ｍｍとなっており、第１バックボード２よりも幅方向に１０ｍｍ長い。第１印刷シート３の表面には企業の広告３１などの図柄が印刷されており、裏面は、図４に示すように、剥離シール３２を剥すことにより粘着面３３が露出する。図１に示すように、第１印刷シート３には、第１バックボード２に貼付した際に第１バックボード２からはみ出た覆い部３４を有している。具体的には、図１において、第１印刷シート３の４つの辺のうち、上下及び左側に位置する辺の長さは第１バックボード２と略一致しているが、右側の辺は第１バックボード２よりも右側に突出しており、当該突出した部分が覆い部３４となり横幅は１０ｍｍとなる。
【００２３】
広告３１は市松模様であって一つの格子は３００ｍｍ×４００ｍｍであり、第１印刷シート３の四辺は当該市松模様の境界線と略一致している。広告３１の市松模様は、縦３列×横６行となっている。
【００２４】
第２バックボード４は、第１バックボード２と略同一の構成となっているが、大きさが１８００ｍｍ×１２１０ｍｍとなっており第１バックボード２よりも横幅が２０ｍｍ長い。
【００２５】
第２印刷シート５は略矩形であって１８００ｍｍ×１２１０ｍｍとなっており、第２バックボード４と略同一サイズである。第２印刷シート５は、第１印刷シート３と同様に、表面に企業の広告５１などが印刷されており、裏面は剥離シートを剥すことにより粘着面が露出する。第２印刷シート５は、図１に示すように、第２バックボード４に貼付した際には、第２印刷シート５の４つの辺のうち、上下左右に位置するすべての辺の長さが第２バックボード４と略一致している。
【００２６】
図３に示すように、第２印刷シート５の広告５１には被重複部Ｂが設けられていて、市松模様の格子のうち左端部に位置する印刷部分の左右方向の幅が他と比較して長い。詳細には、中央及び右側の格子の左右方向の幅Ａは３００ｍｍであるが、左端部に位置する部分の格子は幅Ａに被重複部Ｂを加えた３１０ｍｍとなっている。換言すると、本実施の形態では、被重複部Ｂが設けられていることにより、左端部に位置する格子においてベタ印刷の部分が左方向に１０ｍｍ延長されている。
【００２７】
次に、展示用パネルボード１の組み立て方法について説明する。
【００２８】
第１印刷シート３を第１バックボード２に貼付するときは、図４（ａ）に示すように、剥離シール３２を右端部から１５ｍｍ程度内側をハーフカットする。これにより、剥離シール３２は切断されるが表面に印刷された広告３１は切断されない。図４（ｂ）に示すように、剥離シール３２を図中の矢印の方向に剥して粘着面３３を露出させる。このとき、覆い部３４の剥離シール３２は残った状態となっており、粘着面３３の右端部に境界部３３Ａが規定される。図４（ｃ）に示すように、露出した粘着面３３の左端部と第１バックボード２の左端部とを合わせるように、第１印刷シート３を第１バックボード２に貼付する。これにより、図４（ｄ）に示すように、第１印刷シート３が第１バックボード２に固定されるとともに、粘着面３３の境界部３３Ａが第１バックボード２と第１印刷シート３との間に位置している。具体的には、境界部３３Ａが５ｍｍほど第１バックボード２と第１印刷シート３との隙間に挟みこまれている。これにより、境界部３３Ａが外部に露出していないため、運搬時に覆い部３４の剥離シール３２が誤って剥離することを抑制できる。
【００２９】
第１印刷シート３を第１バックボード２に貼付するときは、図５に示すような方法を用いてもよい。図５（ａ）に示すように、剥離シール３２を図中の矢印の方向に剥して粘着面３３を全面的に露出させる。図５（ｂ）に示すように、露出した粘着面３３の左端部と第１バックボード２の左端部とを合わせるように、第１印刷シート３を第１バックボード２に貼付する。図５（ｃ）に示すように、覆い部３４の裏面の露出した粘着面３３に、覆い部３４のサイズに合わせた剥離シール３２を貼付する（図５（ｄ））。
【００３０】
第２印刷シート５を第２バックボード４に貼り付ける際は、両者は略同サイズであるため、それぞれの四隅を合わせて第２印刷シート５の剥離シートを剥し第２バックボード４に貼付する。図１（ａ）に示すように、第１印刷シート３が貼付された第１バックボード２と第２印刷シート５が貼付された第２バックボード４と、接着剤などで接合させることにより、図１（ｂ）に示すような展示用パネルボード１が完成する。このとき、覆い部３４は第２印刷シート５の被重複部Ｂの手前側に位置するとともに被重複部Ｂに貼付される。
【００３１】
本実施の形態では、図３に示すように第２印刷シート５に被重複部Ｂを設けて左端部の格子のベタ印刷部分を延長していたが、被重複部Ｂを設けていない変形例について、図６を参照して説明する。上述の実施の形態と同一の構成は、同一の符号を付し説明を省略する。
【００３２】
図６（ａ）に示すように、第２バックボード４に貼付されている第２印刷シート５０は、左端部からわずかに右側に市松模様の格子の境界が位置している。このように、すべての市松模様の格子が略同一形状である場合には、第２印刷シート５０を切断する際に第２バックボード４の大きさによっては格子の境界と左右方向の端部と、が一致しない場合がある。
【００３３】
この状態で、図６（ｂ）に示すように展示用パネルボード２０１を作成すると、第１印刷シート３の覆い部３４の右端部３４Ａが第２印刷シート５０の同色の格子と重なってしまう。換言すると、第１印刷シート３と第２印刷シート５０の接続部分が同色となってしまう。そうすると、右端部３４Ａが僅かに目立ってしまうため、図１（ｂ）に示すように接続部分が異なる色となるように被重複部Ｂを設けたほうがより望ましい。なお、変形例においても、覆い部３４が設けられていることにより、第１バックボード２と第２バックボード４との接続部分の隙間を目立たなくするという効果は有している。
【００３４】
このような構成によると、覆い部３４が第１バックボード２と第２バックボード４とを接続するときに第２印刷シート５に重なるため、第１バックボード２と第２バックボード４の隙間を覆い部３４が埋めることができる。これにより、第１バックボード２と第２バックボード４の切断面が湾曲していたとしても、覆い部３４により当該湾曲を隠し外観上優れた展示用パネルボード１を実現することができる。展示用パネルボード１は展示会の会場に応じて大きなものが必要になるが、運搬上の問題から、複数のバックボードの上に印刷シートを貼付したものを接続することにより組み立てる作業が必要となる。従来ではバックボードの湾曲を目立たなくするために印刷シートを小さく切り取り、パッチワークのようにバックボードの隙間に貼り合わせていたが、光の反射などにより当該箇所が目立ってしまい外観上問題があった。本考案によると、覆い部３４がバックボード間の隙間を埋めるように隠すため、接続部分の目立たない綺麗な展示用パネルボード１となる。
【００３５】
このような構成によると、被重複部Ｂの市松模様は他の領域よりも左右方向の長さが長いため、覆い部３４と第２印刷シート５との境界部分において異なる色を重ね合わせることができる。第１印刷シート３及び第２印刷シート５は、図６に示すように、同一の色を重ね合わせると僅かに境界が目立ってしまうが、異なる色を重ね合わせると当該境界が目立たなくなるという特性を有している。本実施の形態では、覆い部３４と第２印刷シート５との境界が異なる色となるため、覆い部３４と第２印刷シート５との境界を目立たなくすることができる。これにより、外観上優れた展示用パネルボード１を実現することができる。
【００３６】
このような構成によると、覆い部３４の端部が市松模様の境界となっているため、覆い部３４と第２印刷シート５との境界部分において異なる色を重ね合わせることができる。これにより、覆い部３４と第２印刷シート５との境界を目立たなくすることができ、外観上優れた展示用パネルボード１を実現することができる。
【００３７】
このような構成によると、覆い部３４が矩形であって第２印刷シート５に対して上下方向全長に亘って重なっているため、第１バックボード２及び第２バックボード４のどの箇所に隙間があったとしても覆い部３４で隠し外観上優れた展示用パネルボード１を実現することができる。
【００３８】
本考案の展示用パネルボードは、上述した実施の形態に限定されず、実用新案登録請求の範囲に記載された考案の要旨の範囲内で種々の変更が可能である。
【００３９】
上記の実施の形態では、第１印刷シート３及び第２印刷シート５に印刷された広告３１及び広告５１は市松模様であったが、これに限定されない。広告３１と広告５１とを組み合わせて１枚のイラストになるような広告であってもよい。
【００４０】
上述の実施の形態では、２つのバックボード及び印刷シートを接続することにより展示用パネルボード１を構成したが、これに限定されない。３つ以上のバックボード及び印刷シートを接続して展示用パネルボードを構成してもよい。
【符号の説明】
【００４１】
１      展示用パネルボード
２      第１バックボード
３      第１印刷シート
４      第２バックボード
５      第２印刷シート
３１    広告
３４    覆い部
Ｂ      被重複部
【図１】
0003221154.tif 000003
【図２】
0003221154.tif 000004
【図３】
0003221154.tif 000005
【図４】
0003221154.tif 000006
【図５】
0003221154.tif 000007
【図６】
0003221154.tif 000008
【図７】
0003221154.tif 000009